(57)【要約】【課題】施工の際に水栓取付具の台座に設けた角度表示を参考にして取り付けられるようにした水栓取付具および水栓取付方法を提供することを課題とする。【解決手段】水栓の筒状に形成された下端部を嵌め込む筒部とこの筒部の端部に形成した鍔状の座とを設けた鍔付き筒形状の台座により、水栓の向き規定する水栓取付具において、台座の筒部の外周面又は鍔部の外周面に、直線又は点状の角度表示を刻設するか、又は、上記台座の筒部の端面又は鍔部の筒部側に向いた端面に直線又は点状の角度表示を刻設するように構成し、流しの正面中央部で作業する作業者の位置に蛇口を向けた水栓を固定するに際し、角度表示として刻設されている角度表示に基づき台座を軸心周りに回動して、台座の向きを定め、その後に台座と固定具とにより天板を挟持するように取付ける。【選択図】        図１
2007291605.tif 000002
【特許請求の範囲】
【請求項１】
水栓の筒状に形成された下端部を嵌め込む筒部を設けた筒形状の台座により、水栓を所定の取付け箇所に取り付けられるようにする水栓取付具において、
上記台座の目視可能な位置に、角度表示を複数設けたことを特徴とする水栓取付具。
【請求項２】
前記台座の目視可能な位置は、筒部の外周面、内周面および上端面、ならびに筒部の下端部に座となる鍔部が形成されている場合には鍔部の上端面および外周面のいずれかであることを特徴とする請求項１記載の水栓取付具。
【請求項３】
前記角度表示は、直線や点列などに形成された凹みや突起あるいは印刷物のいずれかにより表示されることを特徴とする請求項１記載の水栓取付具。
【請求項４】
天板の表面側に位置した台座と上記天板に穿設された貫通孔を介して裏面側に位置する固定具とにより上記貫通孔の周縁部を挟持する水栓取付具を、水栓の取付前に、水栓の取付角度に従い、水栓取付具の向きを定めて固定する水栓取付方法において、
流しの正面中央部で作業する作業者の位置に上記水栓の正面を向けて固定するに際し、上記台座に設けられている角度表示に基づき、上記台座を軸心周りに回動して、上記台座に規定されている水栓の正面が上記流しの正面中央部に向くように上記台座の向きを定め、その後に上記台座と上記固定具とにより上記貫通孔の周縁部を挟持して水栓取付具を固定することを特徴とする水栓取付方法。
【請求項５】
前記台座の向きを前記角度表示に基づき指定された角度に向けるには、前記台座の正面位置から順に対応する角度が決められている角度表示の位置に応じて、指定された角度に該当する順位の角度表示の位置まで回動することにより取付角度を変えることを特徴とする請求項４記載の水栓取付方法。
【発明の詳細な説明】
【技術分野】
【０００１】
本発明は厨房設備におけるシンク直近の天板に水栓を固定するための水栓取付具および水栓取付方法に関する。
【背景技術】
【０００２】
従来の水栓取付具には、例えば鍔付き円筒形に形成されたアダプタ装置と、このアダプタ装置にボルトで組み付けられるホルダとからなり、あるいは、このホルダの下端面にボルト止めされて外周側に回り込むクランプシューあるいは舌状片に形成された係止部材とを備え、天板を貫通した断面円形の孔から固定具及び係止部材を下側に挿入してから固定具又は係止部材を回動することにより天板を挟持できるようにしたものがあった（特許文献１）。
このアダプタ装置と水栓とは、水栓本体の下端部に形成された円筒部をアダプタ本体に外嵌し、止めビスによって水栓本体の開口とアダプタ本体の雌ねじ孔を連結することにより、互いに回転不能となるように連結固定している。
【０００３】
また、コック・ハウジングを外嵌する段付きスリーブが下方に筒状部を延ばし、この下方に延ばした筒状部には下端面に舌状片あるいはクランプシューを外方へ突出可能に設け、天板に係止する時には舌状片あるいはクランプシューを外方へ突出して天板を挟持できるように形成したものがあった（特許文献２）。
このコック・ハウジングと段付きスリーブとは、錠止ピンにより互いに回転不能となるように連結固定している。
さらに、水栓が外嵌する固定具が下方に筒状部を延ばして天板の下側に突出するように設けられ、その表面に形成したねじ部にナットを螺合して、ナットにより天板を挟持できるようにしたものがあった（特許文献３）。
また、この水栓と固定具とは、割りピンなどの締結部材を水栓の下部と固定具の上端部との嵌合部に挿通して、互いに回転不能となるように連結固定している。
【０００４】
【特許文献１】特開平10−318398号公報
【特許文献２】特開昭63−312435号公報
【特許文献３】特開平10−072855号公報
【０００５】
〔問題点〕
このような従来の技術においては、天板を水栓を取り付けるアダプタ本体、コック・ハウジング、固定具、あるいは上面施工ユニット、台座等と呼ばれる水栓取付け具の本体と固定具又はクランプシューあるいは舌状片等の係止部材或いはナット等を用いて挟持することにより水栓取付具を天板に取り付けられるようにしていたため、設置場所の制限がないが、使用の便が考慮されてシンクの正面中央部奥側の天板に立設されていた。
【０００６】
しかし、近年ではキッチンユニットの背面を壁に密着して配置するものだけでなく、リビングやダイニング側に向いて調理することができるように配置する対面型キッチン、シンクやコンロ部分を壁から離れた島のように独立した状態に配置するアイランド型キッチン等が増加したことにより、水栓の配置位置もシンク正面の奥側に限らず、キッチンシンク側面の角部すなわちシンクコーナーの近傍等、正面以外の場所に水栓を設置する場合が増えてきている。
【０００７】
このような場合には、水栓の正面をシンクの正面側に位置する作業者に向かせるように回転させて設置する必要が生じるため、施工時では施工指示に従った角度に取り付けることが要求される。
しかし、従来の水栓取付具を用いた水栓の取付では、キッチンメーカーから施工業者へ取付角度等の水栓取付に関する指示が出ている場合、現場責任者から現場打合せの時に口頭で指示が出されるだけであるため、取付角度は作業者に任された状態になっていた。このため、水栓を回転して設置する取付作業では、水栓取付具に角度の目印になるものがなく、特別な道具もないため、必要な角度に回転して設置することが容易ではなく、大雑把に取付角度が定められて取付けられていた。特に、水栓上部に設けられたレバーの回転操作によって湯水の混合比率を切り換える湯水混合水栓の場合には、水栓の設置角度がレバーの設置角度と連動するため、水栓が適正な角度で設置されていないと湯水混合の調整がしづらくなることがあった。
【０００８】
また、通常、水栓の吐水口が首振り回動可能な構造に形成されており、吐水口の回動範囲は水栓を正面に配置した際を基準として設計されているから、水栓を正面以外の向きに設置する場合には、角度を調整して配置しないと、水栓の吐出口がシンクからはみ出してしまい、吐水中に吐水口を回動させたときに水がシンク外に出てしまうことも起こり得る。
このような不具合が生じないように水栓を正面以外の角度に向けて配置するために、配置場所に応じて、水栓に角度規制構造を設けると水栓のコスト高につながる。
このため、施工現場では、施行指示に従った角度に施工することが要求されても、従来の水栓取付具には角度の目印になるようなものがなく、角度を測定するための道具が別に必要であっても現実にはなく、また取付けに手間がかかるため、取り付けられた角度は大雑把な設定にならざるを得ず、使用に不都合を生じた場合は、取付直しを行わなければならないこともあった。
【発明の開示】
【発明が解決しようとする課題】
【０００９】
本発明は、従来の技術における前記問題点を解消するためのものであり、そのための課題は、施工の際に水栓取付具の台座に設けた角度表示を参考にして取り付けられるようにした水栓取付具および水栓取付方法を提供することにある。
【課題を解決するための手段】
【００１０】
本発明における前記課題が効果的に解決される水栓取付具および水栓取付方法を特定するために、必要と認める事項の全てが網羅され、具体的に構成された、課題解決手段を以下に示す。
水栓取付具に係る第１の課題解決手段は、水栓の筒状に形成された下端部を嵌め込む筒部を設けた筒形状の台座により、水栓を所定の取付け箇所に取り付けられるようにする水栓取付具において、上記台座の目視可能な位置に、角度表示を複数設けたことを特徴とするものである。
【００１１】
また、水栓取付具に係る第２の課題解決手段は、前記台座の目視可能な位置は、筒部の外周面、内周面および上端面、ならびに筒部の下端部に座となる鍔部が形成されている場合には鍔部の上端面および外周面のいずれかであることを特徴とする。
また、水栓取付具に係る第３の課題解決手段は、前記角度表示は、直線や点列などに形成された凹みや突起あるいは印刷物のいずれかにより表示されることを特徴とする。
【００１２】
水栓取付方法に係る第１の課題解決手段は、天板の表面側に位置した台座と上記天板に穿設された貫通孔を介して裏面側に位置する固定具とにより上記貫通孔の周縁部を挟持する水栓取付具を、水栓の取付前に、水栓の取付角度に従い、水栓取付具の向きを定めて固定する水栓取付方法において、流しの正面中央部で作業する作業者の位置に上記水栓の正面を向けて固定するに際し、上記台座に設けられている角度表示に基づき、上記台座を軸心周りに回動して、上記台座に規定されている水栓の正面が上記流しの正面中央部に向くように上記台座の向きを定め、その後に上記台座と上記固定具とにより上記貫通孔の周縁部を挟持して水栓取付具を固定することを特徴とするものである。
【００１３】
また、水栓取付方法に係る第２の課題解決手段は、前記台座の向きを前記角度表示に基づき指定された角度に向けるには、前記台座の正面位置から順に対応する角度が決められている角度表示の位置に応じて、指定された角度に該当する順位の角度表示の位置まで回動することにより取付角度を変えることを特徴とする。
【発明の効果】
【００１４】
以上のように本発明の水栓取付具に係る第１の課題解決手段では、台座の目視可能な位置に設けられた角度表示によって、指定された角度に該当する表示に合わせて台座を回すことにより、水栓を取り付ける前に水栓の取付角度を設定することができ、作業性が改善でき、作業効率が向上して、取付費用を低減できる。
【００１５】
また、水栓取付具に係る第２の課題解決手段では、台座の目視可能位置を、筒部の外周面、内周面および上端面、ならびに筒部の下端部に座となる鍔部が形成されている場合には鍔部の上端面および外周面のいずれかとしたから、水栓取付具の角度表示が斜め上方から見やすく、水栓を取り付けずに水栓の取付角度を設定することが台座の角度表示から容易にできる。
また、水栓取付具に係る第３の課題解決手段では、角度表示は、直線や点列などに形成された凹みや突起あるいは印刷物のいずれかにより表示することができるから、角度表示が水栓取付具の設置時に容易に識別できて、作業が容易になり、水栓を取り付けずに水栓の取付角度を設定することが容易にできる。
【００１６】
水栓取付方法に係る第１の課題解決手段では、流しの正面中央部で作業する作業者の位置に向けて水栓の正面が向くように、目視可能な位置に角度表示を設けた台座を角度表示に従い軸心周りに回動して、台座に規定されている水栓の正面が流しの正面中央部に向くように台座の向きを定め、台座の向きが確定してからボルトを締め付けて、台座と固定具とにより貫通孔の周縁部を挟持することにより、水栓取付具の向きを容易に所望の向きに設定することができて、台座に取り付ける水栓を容易に所望の角度で取り付けることができるようになり、水栓取付作業の作業性が改善でき、作業効率が向上して、取付時間が短縮でき、取付費用を低減できる。
【００１７】
また、水栓取付方法に係る第２の課題解決手段では、台座の向きを角度表示に基づき指定された角度に向けるには、台座の向きを目視可能な位置に設けられて角度表示に基づき、正面からの表示順序により対応する角度が決められている表示に応じて、指定された角度に該当する表示順序の表示位置まで回動することにより任意の取付角度に設定でき、台座の向きが決まれば、台座に取り付ける水栓も所望の角度で取り付けられることになり、水栓取付作業の作業性が改善できる。
【発明を実施するための最良の形態】
【００１８】
本発明における以下の実施の形態では、湯水混合水栓取付具の場合について説明する。
なお、この実施の形態は、発明の趣旨をより良く理解させるため具体的に説明するものであり、特に指定のない限り、特許請求の範囲の記載事項を限定するものではない。
【００１９】
〔構成〕
図１に示すように、水栓取付具１０は、鍔付き筒状体に形成された台座１１と、三日月状あるいは馬蹄形状に形成された固定具１２と、これらを結合する２本のボルト１３と、取付作業の時に台座１１と固定具１２とを結び付けて固定具１２を所定の向きに向ける市販の結束用樹脂紐（以下、単に紐という）１４（図８〜１０参照）と、天板１に穿設された貫通孔１ａの内面に当接して貫通孔１ａとの相対位置を適当範囲に制限するストッパとなるピン１５，１５（図８，１０，１２参照）とからなる。
【００２０】
台座１１は、図２，３に示すように、円筒部１１ａの一端から放射方向に板材を張出すことにより天板１の上に置く場合の座となる鍔部１１ｂを形成した鍔付き円筒形に形成し、円筒部１１ａの内面側に部分的に突出した厚肉部１１ｃ，１１ｃを形成して、それぞれの厚肉部１１ｃ，１１ｃには各１本ずつボルト１３，１３を挿通するためのボルト孔１１ｄ，１１ｄとピン１５，１５を植設するためのピン孔１１ｅ，１１ｅとを中心軸と並行に穿設する。
ボルト孔１１ｄ，１１ｄの一方の近傍には、ピン孔穿設位置と反対側の位置に、紐挿通孔１１ｈを中心軸と平行に穿設する。
円筒部１１ａの外周面には、内側に突出した両厚肉部１１ｃ，１１ｃのある位置で２つに分けられる外周面で周長が短い方の中央位置に水栓固定ねじ２１ｂ（図１８参照）の先端部が挿入される円錐状に形成されたねじ先端部挿入穴１１ｆを刻設し、このねじ先端部挿入穴１１ｆの刻設位置の両側には、中心軸に平行な多数の浅い溝からなる角度指定溝１１ｇ，…，１１ｇを刻設する。
【００２１】
この角度指定溝１１ｇ，…，１１ｇは、ねじ先端部挿入穴１１ｆから中心角３０度の位置に軸心と平行な浅い線状の溝からなる第１の角度指定溝１１ｇを形成し、この第１の角度指定溝１１ｇから中心角１５度間隔でさらに３つの第２乃至第５の角度指定溝１１ｇ，…，１１ｇを刻設し、ねじ先端部挿入穴１１ｆの刻設位置に対して反対側に位置する外周面に対しても同様に角度指定溝１１ｇ，…，１１ｇを刻設して、ねじ先端部挿入穴１１ｆの刻設位置の両側に角度指定溝１１ｇ，…，１１ｇによる角度表示をする。
角度表示については、水栓を正面に取り付ける際の基準となる角度表示と、水栓を回転させて取り付ける際の角度表示とが必要であり、したがって、角度表示は複数存在することが必要となる。本実施例においては、台座１１に設けられたねじ先端部挿入穴１１ｆが基準（すなわち角度０度）となる角度表示としての機能を果たしているため、角度表示のための角度指定溝１１ｇは最低あと１本あれば役割を果たすが、本例では角度表示を多数設けることにより、さまざまな角度指定に対応できるように形成している。
【００２２】
固定具１２は、図４に示すように、平面形状を馬蹄形に形成し、板厚の厚い部材で剛性が高く変形しにくい形状に形成する。下面側の外周端縁を大きくカットして面取りし、面取りしない方の上面には外周端縁部に略等間隔で配置されたすべり止め１２ａを多数個突出する。このすべり止め１２ａは先端に向けて先細りになる横断面が略三角形の突起を形成する。この固定具１２の湾曲した形状の内周面側には、台座１１の突出した厚肉部１１ｃ，１１ｃに対応する位置に同様に内側へ突出した突出部１２ｂ，１２ｂを設け、この突出部１２ｂ，１２ｂにボルトを螺合するためのねじ孔１２ｃ，１２ｃを設ける。
また、台座１１側の紐挿通孔１１ｈの近傍に設けられたボルト孔１１ｄに対応する位置のねじ孔１２ｃの近傍には、台座１１側の紐挿通孔１１ｈに対応する位置に紐挿通孔１２ｈを穿設して、紐１４を挿通可能に形成する。この紐挿通孔１２ｈは、中央部から上部にいくほど径が徐々に大きくなる広がり角が小さい円錐面を形成し、紐１４の先端部１４ｂが上方から入り易い形状に形成する（図７参照）。
ボルト１３は、天板１の板厚よりも長く、少なくとも天板１の板厚と台座１１の高さと固定具１２の厚みとを加えた長さよりも長くし、ボルト１３のねじ形成部の先端にはスナップリング１６が嵌まり込む溝１３ａを形成する。
【００２３】
紐１４は、図５，６に示すように、長尺で可撓性のある樹脂によって成形されており、手元側の端部には台座１１の上端に当接する摘み部１４ａを、先端部には固定具１２に穿設された紐挿通孔１２ｈを貫通して摘み部１４ａ側に引っ張られても抜けないように放射方向に広がる複数個の抜止め部材１４ｃを有する先端部１４ｂを備える。
摘み部１４ａは、台座１１の紐挿通孔１１ｈの径より大きく、少なくとも紐１４が下方にずり落ちない程度の大きさとする。
先端部１４ｂは、円周方向等間隔に２つの抜止め部材１４ｃ，１４ｃを備えた捕鯨用の銛のような形状としており（図６（ｂ），７（ａ）参照）、抜止め部材１４ｃ，１４ｃの拡がりは、固定具１２の紐挿通孔１２ｈにおける下端の径よりも大きくし、使用材料の可撓性を利用して、固定具１２の紐挿通孔１２ｈを通過中は孔径の窄まりに従って広がり範囲を狭くし（図７（ｂ）参照）、通過後には紐挿通孔１２ｈによる圧迫から開放されて広がり範囲を広げ、引抜方向に引かれた場合に抜止め部材１４ｃ，１４ｃが紐挿通孔１２ｈの外縁部に当接して引抜を阻止する（図７（ｃ）参照）。
【００２４】
紐１４の取付けは、図８，９に示すように、一本の紐１４を始めに台座１１の紐挿通孔１１ｈに挿通し、その後に固定具１２の紐挿通孔１２ｈに挿通して、紐１４により台座１１と固定具１２とをボルト締めしなくても１セットとして扱えるようにする。
このため、図１０に示すように、台座１１のボルト孔１１ｄと固定具１２のねじ孔１２ｃとの中で、紐挿通孔１１ｈ，１２ｈが近傍に位置していない方のボルト孔１１ｄとねじ孔１２ｃとに、１本のボルト１３を挿通、螺合して、取り付けると、このボルト１３を中心として固定具１２を回動して向きを変えると、天板１の貫通孔１ａに固定具１２を天板１の裏側まで通し易い形状の状態になり、ボルト１３と紐１４とにより結び付けられている台座１１と固定具１２とを、台座１１の向きを任意に変えるとともに紐１４を操作して固定具１２の向きを変えることにより、容易に天板１を挟持可能な状態にできるようになる。
【００２５】
〔取付方法〕
このように構成した実施形態においては、図１１に示すように、台座１１と固定具１２をボルト１３，１３により結合して流しの天板１に取り付けようとする時、紐１４の先端部１４ｂを台座１１の紐挿通孔１１ｈおよび固定具１２の紐挿通孔１２ｈに通して、台座１１と固定具１２との間に紐１４を架け渡す。なお、この作業は事前に工場等で行っても良い。
【００２６】
次に、ボルト１３，１３が両方とも取り付けられている場合には、紐１４が取り付けられている方のボルト１３を外し、またボルト１３，１３が取り付けられていない場合には、台座１１の紐１４を取り付けた方と反対側のボルト孔１１ｄにボルト１３を挿通し、続けて固定具１２の対応する位置に設けられたねじ孔１２ｃにボルト１３を螺合して、１本のボルト１３により台座１１と固定具１２とを結合した状態にして、ボルト１３を中心にして固定具１２を紐１４の緩みに応じて回動し、図１２に示すように、全体を横向きに倒して固定具１２を天板１に設けられている貫通孔１ａに通す。
【００２７】
固定具１２が天板１の貫通孔１ａを通り抜けてから、全体の向きを元に戻し、その後、図１３に示すように、紐１４の摘み部１４ａを引っ張ることにより、ボルト１３を中心にして固定具１２を回動させて固定具１２の向きを変え、台座１１のボルト孔１１ｄと固定具１２のねじ孔１２ｃとの中心軸を同軸にしてボルト挿通位置を合わせる。
ボルト１３が挿入されていない方の同軸になった台座１１のボルト孔１１ｄと固定具１２のねじ孔１２ｃとに、もう一本のボルト１３を通して螺合することにより台座１１と固定具１２とを２本のボルト１３，１３によって支持する。
それから、図１４に示すように、台座１１を正面側または背面側に位置をずらし、天板１の貫通孔１ａにピン１５，１５が当接して移動できなくなってから、図１５に示すように、４ｍｍの六角レンチ１７により各ボルト１３，１３を均等に締めて、台座１１と固定具１２により天板１を強く挟持する。
【００２８】
天板１の挟持後、図１６に示すように、水栓２１を所定の向きにして下方に突き出した各配管を台座１１の内部を通して天板１を貫通させることにより天板１の下側へ配置し、水栓２１の位置固定用ボルト２１ｂ（図１８参照）が螺合するねじ孔２１ａとねじ先端部挿入穴１１ｆとの位置合せを行い、図１７に示すように、各孔２１ａ，１１ｆが同軸になって位置が一致したところで位置固定用ボルト２１ｂをねじ孔２１ａに螺合して、六角レンチ１８により位置固定用ボルト２１ｂを、図１８の断面図に示すように、位置固定用ボルト２１ｂの先端部が台座１１のねじ先端部挿入穴１１ｆに挿入されて止まるまで締め込み、水栓２１の位置固定をする。
【００２９】
水栓２１の取付位置は、図１９に示すように、台所３０の流し３１における向かい側の壁面に沿った中央部に、たわし等の洗い道具を入れるための道具入れ３２が設けられている場合、正面に立ったときに、道具入れ３２を正面に見ると、道具入れ３２の左側の縁部に蛇口の向きが正面向きよりも約３０度の角度で流しの中央部に向けられた水栓２１が設けられる。
【００３０】
このような水栓２１の位置と向き（角度）を適切に設置するには、図２０に示すように、台座１１の位置と向きは、台座１１に設けられたねじ先端部挿入穴１１ｆが正面に向いている場合を傾きが０度とすると、図１９の場合のように３０度の傾きで取り付けるには、角度指定溝１１ｇ，…，１１ｇのうち、ねじ先端部挿入穴１１ｆの中心となす角度（以下、中心角という）が３０度の位置に刻設された角度指定溝１１ｇを正面向きにして固定すると、この台座１１に取り付けられる水栓２１は蛇口が正面から３０度傾いた状態で取り付けられるようになる。
【００３１】
また、中央部からもっと離された場合で４５，６０度の傾きで取り付ける場合には、角度指定溝１１ｇ，…，１１ｇのうちそれぞれ中心角４５，６０度の位置に刻設された角度指定溝１１ｇを正面向きにして固定すると、この台座１１に取り付けられる水栓２１は蛇口がそれぞれ正面から４５，６０度傾いた状態で取り付けられることになる。
このように、水栓２１の取付けが台座１１の向きによって一意的に決まり、容易に取付け角度を設定することができるようになる。
【００３２】
〔作用効果〕
このように実施形態の水栓取付具１０では、台座１１に設けられた角度指定溝１１ｇ，…，１１ｇによる角度表示を利用することにより、取付角度を容易に設定することができ、水栓２１の取付作業が効率よく進められ、作業効率が向上し、生産コストが低下する。
水栓２１の取付角度の設定には、台座１１に設けられた角度指定溝１１ｇ，…，１１ｇのうち取付角度に相当する角度指定溝１１ｇを正面に向けるだけで必要な角度に設定できるため、特別な器具を使用する必要がなく、道具立てが少なくて済み、準備に手間を取らず、作業がし易いだけでなく、道具使用に際して生じがちな作業の無用の混乱を避けることができ、作業のミスを未然に回避することができる。
また、上面施工の場合、水栓取付具に水栓本体を取り付けた状態での角度調整ができないから、水栓を取り付ける土台となる水栓取付具を固定する際に予め調整することで、水栓の取付が容易になり、角度があっていない場合の手直し（再調整）がなくなる等、調整時間の短縮が図れる。
ユニット前面にのみ角度表示を設けるだけでなく、対角線上にも角度表示を設けることにより、直線性が出し易くなる。
最近のシステムキッチンでは、水栓をシンクに向って斜め方向に向けて設ける（シンクコーナーに設ける）ことが主流となり、正面に取り付けるものが皆無に近くなり、角度調節が必須になってきているから、角度表示を設けることは時流にも沿っている。
なお、この水栓取付具１０は、他の部品の取付け、例えば手すり等の壁面への取付具としても利用可能な構造となっているから利用性に富むものである。
【００３３】
〔別態様〕
この実施の形態および実施例は、発明の趣旨を理解し易くするため具体的に説明しているが、発明内容を限定するものではないから、特に説明されていない別の態様を制限するものではなく、適宜変更しても良い。このような意味で発明の趣旨に沿ういくつかの別態様を以下に示す。例えば、
台座１１には実施の形態で例示した円筒部１１ａの外周面に刻設した角度指定溝１１ｇ（図２１（Ａ））の他に、例えば、台座１１の鍔部１１ｂの外周面に角度表示として角度指定溝あるいは角度指定点１１ｉを軸方向に刻設（図２１（Ｂ））、また台座１１の円筒部１１ａの端面（上端面）に角度表示として角度指定溝あるいは角度指定点１１ｊを径方向に刻設（図２１（Ｃ））、また台座１１の鍔部１１ｂにおける筒部側に向いた端面（上面）に角度表示として角度指定溝１１ｋを径方向に刻設（図２１（Ｄ））しても良い。
角度表示は、線状でも、点状でも認識可能であれば良く、また、点状であっても点列を形成しているものであっても良い。また、角度表示の形成形態は、台座に実施形態のような溝を刻設する以外に、突起を形成する場合でも印刷による表示を設けるものであっても良い。
台座の形状は、実施の形態では鍔部を設け、安定良く設置でき、鍔部と天板との間にシール部材を挟むことができるようになって水密性を高くすることができるようにしているが、この他に、鍔部のない形状の台座（図２２,２３参照）４１を形成しても良い。
【図面の簡単な説明】
【００３４】
【図１】本発明の実施形態における水栓取付具の取付状態を示す部分断面斜視説明図である。
【図２】同上水栓取付具の台座を示す斜視図である。
【図３】同上水栓取付具の台座を示す図面で、（Ａ）は平面図、（Ｂ）は側面図、（Ｃ）は（Ａ）におけるＡ−Ａ断面図である。
【図４】同上水栓取付具の固定具を示す図面で、（Ａ）は底面図、（Ｂ）は側面図、（Ｃ）は正面図である。
【図５】同上水栓取付具の紐を示す外観図で、（ａ）は正面図、（ｂ）は側面図である。
【図６】同上水栓取付具の紐を示す拡大図で、（ａ）は摘み部の拡大正面図、（ｂ）は先端部の拡大正面図である。
【図７】同上水栓取付具の紐が固定具の紐挿通孔を通過する状態を示す拡大部分断面説明図で、（ａ）は紐が固定具の紐挿通孔を通過する直前の状態、（ｂ）は紐が固定具の紐挿通孔を通過中の状態、（ｃ）紐が固定具の紐挿通孔を通過した直後の状態を示す。
【図８】同上水栓取付具の紐を台座と固定具とに挿通した状態を示す斜視説明図である。
【図９】同上水栓取付具の紐を台座と固定具とに挿通した状態を示す断面説明図である。
【図１０】同上水栓取付具の紐使用時における固定具の天板通過時を示す斜視説明図である。
【図１１】同上水栓取付具の組付けにおける初期状態を示す斜視説明図である。
【図１２】同上水栓取付具の組付け時における横転時を示す斜視説明図である。
【図１３】同上水栓取付具の組付け時における固定具の位置合せを示す斜視説明図である。
【図１４】同上水栓取付具の組付け時における台座ずらし時を示す斜視説明図である。
【図１５】同上水栓取付具の組付け時における天板挟持用ボルト締めを示す斜視説明図である。
【図１６】同上水栓取付具の組付け時における水栓嵌合せ作業を示す斜視説明図である。
【図１７】同上水栓取付具の組付け時における水栓のねじ止めを示す斜視説明図である。
【図１８】同上水栓取付具の組付けにおける水栓と台座との組合せ状態を示す横断面図である。
【図１９】同上水栓取付具を流しの天板へ取り付けた状態を示す平面説明図である。
【図２０】同上水栓取付具の取付方法を示す平面説明図である。
【図２１】同上水栓取付具の角度表示の種類を示す斜視外観図で、（Ａ）は実施の形態と同じく台座の円筒部外周面に角度表示を刻設した例、（Ｂ）は台座の鍔部外周面に角度表示を刻設した例、（Ｃ）は台座の円筒部上端面に角度表示を刻設した例、（Ｄ）は台座の鍔部上面に角度表示を刻設した例である。
【図２２】本発明の実施形態の別態様における鍔なし台座を有する水栓取付具を示す斜視図である。
【図２３】同上鍔なし台座を有する水栓取付具を示す正面部分断面図である。
【符号の説明】
【００３５】
１  天板
１ａ  貫通孔
１０  水栓取付具
１１，４１  台座
１１ａ  円筒部（筒部）
１１ｂ  鍔部（座）
１１ｃ  厚肉部
１１ｄ  ボルト孔
１１ｅ  ピン孔
１１ｆ  ねじ先端部挿入穴
１１ｇ，１１ｉ，１１ｊ，１１ｋ  角度指定溝（角度表示）
１１ｈ  紐挿通孔
１２  固定具
１２ａ  すべり止め
１２ｂ  突出部
１２ｃ  ねじ孔
１２ｈ  紐挿通孔
１３  ボルト
１４  紐
１４ａ  摘み部
１４ｂ  先端部
１４ｃ  抜止め部材
１５  ピン
１６  スナップリング
１７，１８  六角レンチ
２１  水栓
２１ａ  （位置固定用ボルト用の）ねじ孔
２１ｂ  位置固定用ボルト
３０  台所
３１  流し
α、β、γ  角度（３０度、４５度、６０度）
【図１】
2007291605.tif 000003
【図２】
2007291605.tif 000004
【図３】
2007291605.tif 000005
【図４】
2007291605.tif 000006
【図５】
2007291605.tif 000007
【図６】
2007291605.tif 000008
【図７】
2007291605.tif 000009
【図８】
2007291605.tif 000010
【図９】
2007291605.tif 000011
【図１０】
2007291605.tif 000012
【図１１】
2007291605.tif 000013
【図１２】
2007291605.tif 000014
【図１３】
2007291605.tif 000015
【図１４】
2007291605.tif 000016
【図１５】
2007291605.tif 000017
【図１６】
2007291605.tif 000018
【図１７】
2007291605.tif 000019
【図１８】
2007291605.tif 000020
【図１９】
2007291605.tif 000021
【図２０】
2007291605.tif 000022
【図２１】
2007291605.tif 000023
【図２２】
2007291605.tif 000024
【図２３】
2007291605.tif 000025